(57)【要約】【課題】多様な画像を表示することのできる背面板を備えたディスプレイを提供する。【解決手段】ディスプレイパネルと、透明背面板と、バックライトモジュールと、第１光学フィルムセットとを含むディスプレイを提供する。透明背面板は、第１表面と、第２表面と、光装飾を有する。第１表面はディスプレイパネルに面し、第２表面は相対的にディスプレイから離れている。光装飾は第１および第２表面のうち少なくとも１つの上に設置される。バックライトモジュールはディスプレイパネルと透明背面板の間に配置される。第１光学フィルムセットはバックライトモジュールと透明背面板の間に配置される。光装飾、バックライトモジュールおよび第１光学フィルムセットの組合せが複数の画像を形成して、透明背面板の第２表面上に表示する。【選択図】図１
2010103091.tif 000002
【特許請求の範囲】
【請求項１】
ディスプレイパネルと、
第１表面、第２表面、および少なくとも１つの光装飾を備え、前記第１表面が前記ディスプレイパネルに面し、前記第２表面が相対的に前記ディスプレイパネルから離れ、前記光装飾が前記第１および第２表面のうち少なくとも１つの上に設置されている透明背面板と、
前記ディスプレイパネルと前記透明背面板の間に配置されたバックライトモジュールと、
前記バックライトモジュールと前記透明背面板の間に配置された第１光学フィルムセットとを含み、
前記光装飾、前記バックライトモジュールおよび前記第１光学フィルムの組合せが複数の画像を形成して前記透明背面板の前記第２表面上に表示するディスプレイ。
【請求項２】
前記ディスプレイパネルが液晶ディスプレイパネルである請求項１記載のディスプレイ。
【請求項３】
前記透明背面板の材料が、ポリカーボネート、アクリロニトリル‐ブタジエン‐スチレン樹脂、またはポリカーボネートとアクリロニトリル‐ブタジエン‐スチレン樹脂のポリマーである請求項１記載のディスプレイ。
【請求項４】
前記第１光学フィルムセットが複数の第１光学フィルムを含み、前記第１光学フィルムの少なくとも１つがホログラム位相偏移マイクロ構造を有する請求項１記載のディスプレイ。
【請求項５】
前記第１光学フィルムセットが、拡散シート、または反射シート、または輝度向上フィルムまたはその組合せを含む請求項１記載のディスプレイ。
【請求項６】
前記バックライトモジュールが、
光源と、
前記ディスプレイパネルと前記第１光学フィルムセットの間に配置され、第１発光面、第２発光面および前記第１発光面と前記第２発光面の間に連接された光入射面を備えた導光板とを含み、
前記光入射面が前記光源に面し、前記第１発光面が前記ディスプレイパネルに面し、前記第２発光面が前記第１光学フィルムセットに面している請求項１記載のディスプレイ。
【請求項７】
前記光源が発光ダイオードまたは冷陰極蛍光ランプである請求項６記載のディスプレイ。
【請求項８】
前記バックライトモジュールが、前記導光板と前記ディスプレイパネルの間に配置された第２光学フィルムセットをさらに含む請求項６記載のディスプレイ。
【請求項９】
前記第２光学フィルムセットが、拡散シート、または反射シート、または輝度向上フィルムまたはその組合せを含む請求項８記載のディスプレイ。
【請求項１０】
前記透明背面板の前記第１表面上に配置された電磁妨害保護層をさらに含む請求項１記載のディスプレイ。
【発明の詳細な説明】
【技術分野】
【０００１】
本発明はディスプレイに関するものであり、特に、多様な画像を表示することのできる背面板（rear plate）を備えたディスプレイに関するものである。
【背景技術】
【０００２】
テクノロジーの発達に伴い、ユーザーの商品に対する要求もますます高まっている。現在では、より多くの、そしてより優れた機能に加え、商品の独特性や高いブランド認識度もユーザーが商品を購入する際に十分に考慮される。
【０００３】
ノート型パソコンを例にすると、一般にブランドのロゴとして用いられる透し彫りのパターンは、ディスプレイのカラー背面板上に形成される。ノート型パソコンの電源がオンの時、ディスプレイのバックライトモジュールによって提供される光の大部分はディスプレイパネルに照射されるが、一部はカラー背面板に出射され、透し彫りのパターンによって漏光することで、ロゴを明るくするのである。
【発明の概要】
【発明が解決しようとする課題】
【０００４】
本発明は、多様な画像を表示することのできる背面板を備えたディスプレイを提供することを目的とする。
【課題を解決するための手段】
【０００５】
本発明は、ディスプレイパネルと、透明背面板と、バックライトモジュールと、第１光学フィルムセットとを含むディスプレイを提供する。透明背面板は、第１表面と、第２表面と、少なくとも１つの光装飾（optical decoration）とを有する。第１表面はディスプレイパネルに面し、第２表面は相対的にディスプレイから離れている。光装飾は第１および第２表面のうち少なくとも１つの上に設置される。バックライトモジュールはディスプレイパネルと透明背面板の間に配置される。第１光学フィルムセットはバックライトモジュールと透明背面板の間に配置され、光装飾、バックライトモジュールおよび第１光学フィルムセットの組合せが複数の画像を形成し、その画像を透明背面板の第２表面上に表示する。
【０００６】
本発明の実施形態に係るディスプレイにおいて、ディスプレイパネルは液晶ディスプレイ（liquid crystal display, LCD）パネルである。
【０００７】
本発明の実施形態に係るディスプレイにおいて、透明背面板の材料は、ポリカーボネート（polycarbonate, PC）、アクリロニトリル‐ブタジエン‐スチレン（acrylonitrile-butadiene-styrene, ABS）樹脂、またはＰＣとＡＢＳ樹脂のポリマーである。
【０００８】
本発明の実施形態に係るディスプレイにおいて、第１光学フィルムセットは第１光学フィルムを含み、第１光学フィルムの少なくとも１つはホログラム（Hologram）位相偏移マイクロ構造を有する。
【０００９】
本発明の実施形態に係るディスプレイにおいて、第１光学フィルムセットは、拡散シート、または反射シート、または輝度向上フィルム、またはその組合せから成る。
【００１０】
本発明の実施形態に係るディスプレイにおいて、バックライトモジュールは、光源と、導光板とを含む。ディスプレイパネルと第１光学フィルムセットの間に配置された導光板は、第１発光面、第２発光面、および第１発光面と第２発光面の間に連接された光入射面を有する。光入射面は光源に面し、第１発光面はディスプレイパネルに面し、第２発光面は第１光学フィルムセットに面している。光源は、発光ダイオード（light-emitting diode, LED）または冷陰極蛍光ランプ（cold cathode fluorescent lamp, CCFL）でもよい。
【００１１】
本発明の実施形態に係るディスプレイにおいて、バックライトモジュールは、導光板とディスプレイパネルの間に配置された第２光学フィルムセットをさらに含む。第２光学フィルムセットは、拡散シート、または反射シート、または輝度向上フィルム、またはその組合せから成る。
【００１２】
本発明の実施形態に係るディスプレイにおいて、本発明のディスプレイは、透明背面板と第１光学フィルムセットの間に配置された電磁妨害（electromagnetic interference, EMI）保護層をさらに含み、電磁波による妨害を防ぐ。ＥＭＩ保護層は、アルミ箔を第１表面上に接着することによって、あるいは金属を第１表面上にスパッタリングすることによって形成される。
【発明の効果】
【００１３】
本発明のディスプレイは、透明背面板の光装飾、バックライトモジュール、および第１光学フィルムセットのホログラム位相偏移マイクロ構造の組合せにより光学干渉、屈折、回折等の効果を達成して、透明背面板上に多様な画像をさらに形成し、その画像を透明背面板の第２表面上に表示する。
【００１４】
本発明の上記及び他の目的、特徴、および利点をより分かり易くするため、図面と併せた幾つかの実施形態を以下に説明する。
【図面の簡単な説明】
【００１５】
【図１】本発明の第１実施形態に係るディスプレイを示す概略図である。
【図２Ａ】ディスプレイのオフ状態を示す概略図である。
【図２Ｂ】図２Ａのディスプレイのオン状態を示す概略図である。
【図３】本発明の第２実施形態に係るディスプレイを示す概略図である。
【図４】本発明の第３実施形態に係るディスプレイを示す概略図である。
【図５】本発明の第４実施形態に係るディスプレイを示す概略図である。
【発明を実施するための形態】
【００１６】
以下、添付の図面を例として、本発明の実施形態を詳細に説明する。図面および説明において、同一の参照番号を同一または類似の部分を示すために使用する。
【００１７】
（第１実施形態）
図１は、本発明の第１実施形態に係るディスプレイを示す概略図である。図１を参照すると、ディスプレイ１００は、デスクトップパソコン、タブレットＰＣ、ノート型パソコン、または携帯電子機器のディスプレイであるが、これだけに限定されない。ディスプレイ１００は、ディスプレイパネル１１０と、透明背面板１２０と、バックライトモジュール１３０と、第１光学フィルムセット１４０とを含む。透明背面板１２０は、第１表面１２２と、第２表面１２４と、少なくとも１つの光装飾１２６とを有する。第１表面１２２はディスプレイパネル１１０に面し、第２表面１２４は相対的にディスプレイパネル１１０から離れている。光装飾１２６は第１表面１２２および第２表面１２４のうち少なくとも１つの上に設置される（図１において、光装飾１２６は第１表面１２２および第２表面１２４の両方の上に形成される）。バックライトモジュール１３０は、ディスプレイパネル１１０と透明背面板１２０の間に配置される。第１光学フィルムセット１４０はバックライトモジュール１３０と透明背面板１２０の間に配置される。第１光学フィルムセット１４０と光装飾１２６の組合せは、バックライトモジュール１３０によって提供された光を干渉および屈折させるため、透明背面板１２０上に多様な画像を表示することができ、その画像が第２表面１２４に表示される。
【００１８】
さらに、光装飾１２６は、インモールド転写（in mold rolling, IMR）、インモールド成形（in mold forming, IMF）、両面ＩＭＲ、真空伝熱（vacuum heat transfer, VHT）、伝熱（heat transfer）、ホットスタンピング（hot stamping）、３Ｄプリント（3D printing）、または３Ｄペイント（3D painting）によってレーザー彫刻で透明背面板１２０上に形成される。ディスプレイパネル１１０は、ＬＣＤパネルまたは他の非自発光型ディスプレイパネルでもよい。透明背面板１２０の材料は、必要に応じて、ＰＣ、ＡＢＳ樹脂、またはＰＣとＡＢＳ樹脂のポリマーでもよい。また、ディスプレイパネル１１０は自発光型ディスプレイパネルでもよく、バックライトモジュール１３０はディスプレイ１００内に配置される必要がないことを言及しておく。さらに、第１光学フィルムセット１４０は、必要に応じて、拡散シート、反射シート、輝度向上フィルム、またはその組合せから成る。本実施形態では、第１光学フィルムセット１４０を反射シート１４０ａおよび輝度向上フィルム１４０ｂによって例示する。ディスプレイパネル１１０に面する反射シート１４０ａの表面は反射面である。ディスプレイパネル１１０に面する輝度向上フィルム１４０ｂの表面は反射面であり、透明背面板１２０に面する輝度向上フィルム１４０ｂの表面は輝度を向上させることができる。
【００１９】
バックライトモジュール１３０は、光源１３２と、導光板１３４とを含む。導光板１３４はディスプレイパネル１１０と第１光学フィルムセット１４０の間に配置される。光源１３２は、発光ダイオード（LED）または冷陰極蛍光ランプ（CCFL）である。導光板１３４は第１発光面１３４ａと、第２発光面１３４ｂと、光入射面１３４ｃとを有する。光入射面１３４ｃは、第１発光面１３４ａと第２発光面１３４ｂの間に連接され、光源１３２に面している。さらに、第１発光面１３４ａはディスプレイパネル１１０に面し、第２発光面１３４ｂは第１光学フィルムセット１４０に面している。
【００２０】
導光板１３４は、必要に応じて、第２発光面１３４ｂ上に設置された導光パターン１３４ｄをさらに有する。導光パターン１３４ｄは、バックライトモジュール１３０の光源利用率を上げ、ディスプレイ１００の表示品質を向上させることができる。
【００２１】
その上、バックライトモジュール１３０は、第２光学フィルムセット１３６をさらに含む。第２光学フィルムセット１３６は、必要に応じて、拡散シート、反射シート、輝度向上フィルム、またはその組合せから成る。
【００２２】
また、電磁妨害（EMI）保護層１５０は、さらに、輝度向上フィルム１４０ｂと透明背面板１２０の間に配置される。ＥＭＩ保護層１５０は、アルミ箔を第１表面１２２上に接着することによって、あるいは金属を第１表面１２２上にレーザー彫刻でスパッタリングすることによって形成された塗膜層で、周辺環境の電磁波がディスプレイ１００の表示品質に影響するのを防ぐ。
【００２３】
さらに、図１を参照すると、バックライトモジュール１３０の光源１３２が光を出射する時、光源１３２からの光は光入射面１３４ｃを通って導光板１３４に照射される。次に、導光板１３４によって光路が誘導され、光の大部分はディスプレイパネル１１０に向かって出射され、光の一部は透明背面板１２０に向かって出射される。図１から明らかなように、透明背面板１２０に向かって進行する光は、反射シート１４０ａ、輝度向上フィルム１４０ｂ、および透明背面板１２０の光装飾１２６を通過するので、透明背面板１２０上に表示された画像がディスプレイ１００の後側に面する他の人にも見える。詳しく説明すると、反射シート１４０ａおよび輝度向上フィルム１４０ｂが光装飾１２６と連携して、光の干渉および屈折が生じ、それによって異なる被写界深度効果、明暗の対比またはグラデーション、およびグラデーションパターンが透明背面板１２０上に表示される画像に発生するか、あるいは異なるパターンが異なる視角から見える。つまり、ディスプレイ１００の後側から見える透明背面板１２０上に表示される画像は、輝度、グラデーション、被写界深度において多様な変化を有する。
【００２４】
図２Ａは、ディスプレイのオフ状態を示す概略図であり、図２Ｂは、図２Ａのディスプレイのオン状態を示す概略図である。図１、２Ａおよび２Ｂを参照すると、図２Ａおよび２Ｂのディスプレイ１００はノート型パソコンのディスプレイである。ディスプレイ１００がオフ状態の時、光装飾１２６のパターンが透明背面板１２０上に表示され、ディスプレイ１００の後側から見える。パターンは、例えば、太陽や山である。さらに、雲や、花や、草のような所定のパターンが反射シート１４０ａおよび輝度向上フィルム１４０ｂ上に予め形成されるため、ディスプレイ１００の電源が入った時、バックライトモジュール１３０によって提供された光は、反射シート１４０ａおよび輝度向上フィルム１４０ｂのパターンを透明背面板１２０に投射させる。それによって、透明背面板１２０上に表示され、ディスプレイ１００の後側から見える画像は、太陽、山、雲、花および草を有する。もちろん、光装飾１２６または反射シート１４０ａおよび輝度向上フィルム１４０ｂ上に形成されるパターンは、ブランドのロゴでもよいため、ブランドの認識度を向上させ、ブランドの良い印象を作り出すことができる。上記のように、光装飾１２６および反射シート１４０ａおよび輝度向上フィルム１４０ｂに表示されるパターンは必要に応じて決定される。
【００２５】
特に、ディスプレイ１００の後側から見える輝度、グラデーション、被写界深度に関する画像の変化は、反射シート１４０ａ、輝度向上フィルム１４０ｂおよび光装飾１２６のパターンを重ねることによって達成される。例えば、反射シート１４０ａおよび輝度向上フィルム１４０ｂ上のパターンが透し彫りのパターンで、部分的に重なっている時、ディスプレイ１００の後側から見える透明背面板１２０上に表示される画像は、パターンの重なる部分に対応する部分が相対的に暗い。反射シート１４０ａおよび輝度向上フィルム１４０ｂ上のパターンが光拡散パターンの場合、透明背面板１２０の第２表面１２４上に表示される画像は、パターンの重なる部分に対応する部分が相対的に明るい。その上、異なる色の光源１３２を利用して、画像の色の漸次的変化を達成することができる。
【００２６】
また、ディスプレイ１００は、周辺光センサ（図示せず）をさらに含む。周辺光センサは、ディスプレイ１００の外部の光を受けることのできる如何なる場所にも配置することができ、ディスプレイ１００の周辺輝度を検出する。周辺輝度が高い時は周辺光センサを調整して光源１３２の輝度を下げ、周辺輝度が低い時は周辺光センサを調整して光源１３２の輝度を上げる。さらに、本実施形態において、光装飾１２６は透明背面板１２０の第１表面１２２および第２表面１２４上に同時に形成されるが、本技術分野において通常の知識を有する技術者であれば、透明背面板１２０の第１表面１２２および第２表面１２４のうちの１つの上に光装飾１２６を形成することもできる。この他、透明背面板１２０によって表示される画像は、回路の設計により、時間またはユーザーの設定で変化する。
【００２７】
上記からわかるように、従来のディスプレイと比べ、本実施形態のディスプレイ１００の透明背面板１２０によって表示される画像は変化に富み、より新規である。
【００２８】
（第２実施形態）
本実施形態は、実質的に第１実施形態と同じである。同一または類似の符号は同一または類似の構成要素を示し、詳細については再度説明しない。
【００２９】
図３は、本発明の第２実施形態に係るディスプレイを示す概略図である。図３を参照すると、本実施形態のディスプレイ２００と第１実施形態のディスプレイ１００の違いは、本実施形態のディスプレイ２００における第１光学フィルムセット１４０が光学干渉パターン１４２を有する拡散シートであることである。さらに、透明背面板２２０は複数の着色粒子２２８を有する。つまり、透明背面板２２０が射出成形される時に、着色粒子２２８が成形材料の中に加えられる。着色粒子２２８は光を均一に拡散することもできる。第１実施形態と比較すると、透明背面板２２０が成形される時、着色粒子２２８はその中に均一に分散され、透明背面板２２０によって表示される画像は均一な輝度を達成することができる。一方、第１実施形態においては、透明背面板１２０によって表示される画像は、反射シート１４０ａおよび輝度向上フィルム１４０ｂ上のパターンを経て、特定領域において輝度が変化する。
【００３０】
（第３実施形態）
本実施形態は、実質的に第１実施形態と同じである。同一または類似の符号は、同一または類似の構成要素を示し、詳細については再度説明しない。
【００３１】
図４は、本発明の第３実施形態に係るディスプレイを示す概略図である。図４を参照すると、本実施形態と第１実施形態の違いは、本実施形態の第１光学フィルムセット３４０が反射シート３４２および拡散シート３４４から成ることである。反射シート３４２の表面３４２ａは反射面であり、反射シート３４２のもう一つの表面３４２ｂは輝度向上面である。拡散シート３４４の表面３４４ａはホログラム位相偏移マイクロ構造３４６を有し、拡散シート３４４の表面３４４ｂは拡散面である。また、透明背面板３２０の第１表面３２２および第２表面３２４の上には、いずれも光装飾３２６が配置されている。
【００３２】
光がホログラム位相偏移マイクロ構造３４６を通る時に明らかな回折効果が生じるため、光間の干渉（interference）を引き起こす。さらに、光装飾３２６の存在により、虹のパターンまたは３Ｄ視覚効果を有する画像をディスプレイ３００の透明背面板３２０の第２表面３２４上に表示することができる。
【００３３】
（第４実施形態）
本実施形態は、実質的に第３実施形態と同じである。同一または類似の符号は、同一または類似の構成要素を示し、詳細については再度説明しない。
【００３４】
図５は、本発明の第４実施形態に係るディスプレイを示す概略図である。図５を参照すると、本実施形態と第３実施形態の違いは、本実施形態の第１光学フィルムセット３４０が反射シート３４２および輝度向上フィルム３４４’を含むことである。反射シート３４２の表面３４２ａは反射面であり、反射シート３４２の表面３４２ｂは輝度向上面である。輝度向上フィルム３４４’の表面３４４ａ’は輝度向上面であり、輝度向上フィルム３４４’の表面３４４ｂ’はホログラム位相偏移マイクロ構造３４６を有する。さらに、透明背面板４２０は複数の着色粒子４２８を有し、着色粒子４２８は光を均一に拡散させることができる。
【００３５】
反射シート３４２、輝度向上フィルム３４４’、ホログラム位相偏移マイクロ構造３４６および光装飾３２６は、ディスプレイ４００の透明背面板４２０上に表示される画像の局部輝度を向上させることができる。さらに、透明背面板４２０の着色粒子４２８は、透明背面板４２０上に表示される画像の色をさらに多様化させることができる。
【００３６】
上記４つの実施形態における第１光学フィルムセットは、単に輝度向上フィルム、拡散シート、反射シートまたはその組合せによって示してあるが、本分野において通常の知識を有する技術者であれば、必要に応じて、他の光学フィルムを使用することもできる。
【００３７】
以上述べたように、本発明のディスプレイにおいて、異なる特性を有する様々な光学フィルム、光学フィルムに配置されたホログラム位相偏移マイクロ構造、および透明背面板とその光装飾を使用することによって、透明背面板に表示される画像は、異なる被写界深度、局部輝度の変化、色またはパターンの漸次的パフォーマンス、虹のパターンおよび３Ｄ視覚効果を達成することができる。さらに、回路の設計および光源の色によって、ディスプレイの透明背面板によって表示される画像は多様に変化しうる。
【００３８】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【符号の説明】
【００３９】
１００，２００，３００，４００  ディスプレイ
１１０  ディスプレイパネル
１２０，２２０，３２０，４２０  透明背面板
１２２，３２２  第１表面
１２４，３２４  第２表面
１２６，３２６  光装飾
１３０  バックライトモジュール
１３２  光源
１３４  導光板
１３４ａ  第１発光面
１３４ｂ  第２発光面
１３４ｃ  光入射面
１３４ｄ  導光パターン
１３６  第２光学フィルムセット
１４０，３４０  第１光学フィルムセット
１４０ａ，３４２  反射シート
１４０ｂ，３４４’  輝度向上フィルム
１４２  光学干渉パターン
１５０  電磁妨害保護層
２２８，４２８  着色粒子
３４２ａ，３４２ｂ，３４４ａ，３４４ａ’，３４４ｂ，３４４ｂ’  表面
３４４  拡散シート
３４６  ホログラム位相偏移マイクロ構造
【図１】
2010103091.tif 000003
【図２Ａ】
2010103091.tif 000004
【図２Ｂ】
2010103091.tif 000005
【図３】
2010103091.tif 000006
【図４】
2010103091.tif 000007
【図５】
2010103091.tif 000008
【外国語明細書】
2010103091000001.pdf